(57)【特許請求の範囲】
【請求項１】
吸引噴出部と回収部とにより切屑の回収をなす加工装置の切屑回収方法であって、
吸引噴出部の吸引フードにより切屑を吸引する手順と、
吸引噴出部の噴出ノズルにより切屑を回収部に噴出する手順と、
回収部の鋼製パイプをのれん状に配置してなる減速機構の前記鋼製パイプに切屑を衝突させて同切屑の速度を減速させる手順と、
回収部の衝突板に切屑を衝突させて落下させる手順
とを含むことを特徴とする加工装置の切屑回収方法。
【請求項２】
吸引噴出部と回収部とを備えてなる加工装置の切屑回収装置であって、
前記吸引噴出部は、加工装置の加工部に臨ませて配設された吸引フードと、吸引噴出機構と、噴出ノズルとを備え、
前記回収部は、回収ボックスを備え、
前記回収ボックスは、前記噴出ノズルから噴出された切屑の速度を減速させる開口に配設された鋼製パイプをのれん状に配置してなる減速機構と、前記減速機構の背後に配設された衝突板とを有し、
前記減速機構は、前記鋼製パイプに切屑を衝突させて同切屑の速度を減速させる
ことを特徴とする加工装置の切屑回収装置。
【発明の詳細な説明】
【技術分野】
【０００１】
本発明は加工装置の切屑回収方法および切屑回収装置に関する。さらに詳しくは、切屑を回収部にめがけ噴出させて切屑を回収する加工装置の切屑回収方法および切屑回収装置に関する。
【背景技術】
【０００２】
従来より、加工装置においては切屑を回収するため切屑回収装置が設けられている。
【０００３】
例えば、特許文献１には、工作機械テーブルおよび主軸を載置したベッドに切屑回収用の切屑入口部を形成し、この切屑入口部の下にチップコンベアを配置してなるものが提案されている。
【０００４】
しかしながら、特許文献１の提案に係る切屑回収装置においては、チップコンベアを用いているところから、エンドレスチェーンやスプロケットなどが必要であるため、部品点数の増加ひいては切屑回収装置のコスト上昇を招来しているという問題がある。
【０００５】
かかる特許文献１の提案に係る切屑回収装置の問題点を解消すべく、特許文献２には、工作物テーブルの周囲に切屑回収カバーを設け、この切屑回収カバーの底部とベッドの前面に開口した貫通孔とを接続し、貫通孔にエアによって切屑を吸引する切屑吸引装置を設けるとともに、主軸に装着された工具の回りを包囲し、主軸頭の進退運動に応じて可動するカバーを設け、この可動カバー内の切屑を吸引する切屑吸引装置を設けたものが提案されている。
【０００６】
しかしながら、特許文献２の提案に係る切屑回収装置は、構成がより複雑であるため、より一層の切屑回収装置のコスト上昇を招来しているという問題がある。
【特許文献１】特開平６−２４７５２３号公報
【特許文献２】特開平１１−９９４３８号公報
【発明の開示】
【発明が解決しようとする課題】
【０００７】
本発明はかかる従来技術の課題に鑑みなされたものであって、簡易に切屑を回収できる加工装置の切屑回収方法および切屑回収装置を提供することを目的としている。
【課題を解決するための手段】
【０００８】
本発明の加工装置の切屑回収方法は、吸引噴出部と回収部とにより切屑の回収をなす加工装置の切屑回収方法であって、吸引噴出部の吸引フードにより切屑を吸引する手順と、吸引噴出部の噴出ノズルにより切屑を回収部に噴出する手順と、回収部の鋼製パイプをのれん状に配置してなる減速機構の前記鋼製パイプに切屑を衝突させて同切屑の速度を減速させる手順と、回収部の衝突板に切屑を衝突させて落下させる手順とを含むことを特徴とする。
【０００９】
本発明の加工装置の切屑回収装置は、吸引噴出部と回収部とを備えてなる加工装置の切屑回収装置であって、前記吸引噴出部は、加工装置の加工部に臨ませて配設された吸引フードと、吸引噴出機構と、噴出ノズルとを備え、前記回収部は、回収ボックスを備え、前記回収ボックスは、前記噴出ノズルから噴出された切屑の速度を減速させる開口に配設された鋼製パイプをのれん状に配置してなる減速機構と、前記減速機構の背後に配設された衝突板とを有し、前記減速機構は、前記鋼製パイプに切屑を衝突させて同切屑の速度を減速させることを特徴とする。
【発明の効果】
【００１１】
本発明によれば、加工装置の切屑回収を簡易な構成によりなし得るという優れた効果が得られる。
【発明を実施するための最良の形態】
【００１２】
以下、添付図面を参照しながら本発明を実施形態に基づいて説明するが、本発明はかかる実施形態のみに限定されるものではない。
【００１３】
本発明の加工装置の切屑回収方法が適用されてなる切屑回収装置の一実施形態を概略図で示す。
【００１４】
切屑回収装置Ａは、図１に示すように、フライスカッターＦの切削により発生する切屑を吸引して噴出する吸引噴出部１０と、吸引噴出部１０から噴出された切屑を回収する回収部２０とを主要部として備えてなる。
【００１５】
吸引噴出部１０は、エジェクタの原理を利用してフライスカッターＦの切削により発生する切屑や粉塵を吸引して噴出するものであって、図１に示すように、フライスカッターＦの切削側を覆うようにして設けられた吸引フード１１と、吸引噴出機構１２と、回収部２０に向けて配設された噴出ノズル１３とを備えてなるものとされる。
【００１６】
吸引噴出機構１２には、図１に示すように、工場のエアラインＬから吸引噴出用エアが供給されている。
【００１７】
回収部２０は、図１に示すように、回収ボックス２１と、回収ボックス２１により回収された切屑を搬出する切屑搬出コンベア２２と、回収ボックス２１により回収された粉塵を回収する集塵機２３と、連絡ダクト２４とを備えてなるものとされる。
【００１８】
回収ボックス２１は、図１および図２に示すように、角型箱状とされ、噴出ノズル１３に向けた開口２１ａと、下部に配設されたホッパー２１ｂと、天井に配設された集塵機２３への連絡ダクト接続口２１ｃと、開口２１ａに配設された減速機構３０と、回収ボックス２１内に開口２１ａから所定距離隔てて配設された、つまり減速機構３０の背後に配設された衝突板２１ｄとを備えてなるものとされる。
【００１９】
減速機構３０は、図３に示すように、鉄パイプ（鋼製パイプ）３１をのれん状に配置してなるものとされ、噴出ノズル１３より噴出された切屑が鉄パイプ３１に衝突することにより減速するようにされている。
【００２０】
衝突板２１ｄは、減速機構３０により減速された切屑の衝突エネルギーを吸収してホッパー２１ｂに落下させるものとされる。そのため、衝突板２１ｄは合成ゴムや合成樹脂などの反発係数の小さな材質のものとされる。
【００２１】
ホッパー２１ｂ、切屑搬出コンベア２２および集塵機２３は、公知のものとすることができ、その構成に特に限定はない。
【００２２】
次に、かかる構成とされた切屑回収装置Ａによる切屑回収について説明する。
【００２３】
手順１：エアラインＬから吸引噴出部１０に吸引噴出用エアが供給される。
【００２４】
手順２：フライスカッターＦにより切削がなされる。
【００２５】
手順３：フライスカッターＦの切削により発生した切屑および粉塵が吸引フード１１から吸引される。
【００２６】
手順４：吸引噴出機構１２の作用により吸引フード１１から吸引された切屑および粉塵が噴出ノズル１３に送給される。
【００２７】
手順５：噴出ノズル１３は送給された切屑および粉塵を回収ボックス２１の開口２１ａに噴出する。
【００２８】
手順６：噴出された切屑および粉塵は、減速機構３０つまり鉄パイプ３１に衝突してその速度を減じながらそこを通過する。
【００２９】
手順７：減速機構３０を通過した切屑は衝突板２１ｄに衝突してその速度を失い、ホッパー２１ｂに落下する一方、粉塵は天井に設けられた連絡ダクト接続口２１ｃから排出される。この場合、切屑はその速度が減じられているので、衝突板２１ｄの負担は軽減され、その消耗の程度が少なくなり、交換間隔を長くすることができる。
【００３０】
手順８：ホッパー２１ｂに落下した切屑は、ホッパー２１ｂから切屑搬出コンベア２２により切屑回収場所に搬出される一方、粉塵は連絡ダクト２４を介して集塵機２３により集塵される。
【００３１】
このように、本実施形態によれば、切削により発生する切屑および粉塵を吸引して回収部２０に噴出させるとともに、回収部２０の回収ボックス２１に配設された減速機構３０により減速させて回収ボックス２１内に回収するので、切屑が飛散するおそれや回収ボックス２１自体に損傷を生ずるおそれもない。また、吸引噴出部１０および回収部２０は構成が簡単であるので、切屑回収装置Ａの低コスト化が図られる。さらに、吸引噴出部１０と回収部２０との間に連絡ダクトが配設されていないので、切屑により連絡ダクトが損傷するおそれが全くなく、その面におけるメンテナンスの必要もなく、保守が容易である。
【００３２】
以上、本発明を実施形態に基づいて説明してきたが、本発明はかかる実施形態のみに限定されるものではなく、種々改変が可能である。例えば、実施形態ではフライスカッターを例に取り説明されているが、フライスカッターのみに限定されるものではなく、各種切削具に適用できる。
【産業上の利用可能性】
【００３３】
本発明は、加工装置の切屑回収に適用できる。
【図面の簡単な説明】
【００３４】
【図１】本発明の切屑回収装置の一実施形態の概略図である。
【図２】同実施形態の回収ボックスの要部概略図である。
【図３】同回収ボックスの開口の正面を示す図である。
【符号の説明】
【００３５】
１０      吸引噴出部
１１      吸引フード
１２      吸引噴出機構
１３      噴出ノズル
２０      回収部
２１      回収ボックス
２２      切屑搬出コンベア
２３      集塵機
２４      連絡ダクト
３０      減速機構
３１      鉄パイプ
Ａ      切屑回収装置
【図１】
0005115959.tif 000002
【図２】
0005115959.tif 000003
【図３】
0005115959.tif 000004